(57)【要約】【課題】透明な計量カップがなくても、正確かつ容易に所定量の液体を計量できる不透明な食器を提供すること。【解決手段】陶磁製食器は、土を成形して、素焼きして、釉薬を塗布して、本焼きすることにより製造される不透明な陶磁製食器であって、食器内側に一定容量毎に目盛り線が形成されている。上記構成を有する陶磁製食器によれば、例えば、スープカップでインスタントスープを飲もうとするときに、お湯を２００ｍｌの線までポットから注入し、インスタントスープの素を入れて、かき回せば、レシピ通りの正確なインスタントスープを作ることが容易にできる。【選択図】  図１
2004254980.tif 000002
【特許請求の範囲】
【請求項１】
土を成形して、素焼きして、釉薬を塗布して、本焼きすることにより製造される不透明な陶磁製食器において、
食器内側に一定容量毎に目盛り線が形成されていることを特徴とする陶磁製食器。
【請求項２】
土を成形して、素焼きして、釉薬を塗布して、本焼きすることにより製造される不透明な陶磁製食器の製造方法において、
前記土を成形する工程において、素焼き及び本焼きにより全体が収縮することを見込んで、食器内側に、本焼き後で一定容量毎となる位置に目盛り線を形成することを特徴とする陶磁製食器の製造方法。
【発明の詳細な説明】
【０００１】
【発明の属する技術分野】
本発明は、カップ、湯飲み、どんぶり等の不透明な陶磁製食器、及びその製造方法に関するものである。
【０００２】
【従来の技術】
従来、液体を所定量、例えば５０ｍｌ，１００ｍｌ等、計量するために、透明なカップに所定の位置に水平線が形成されたものが市販されている。この透明な計量カップは、台所に置かれ、酢、みりん等の調味料の計量等に使用されている。
一方、カップ、湯飲み、どんぶり等の不透明な陶磁製食器は、日常的に使用されている。
【０００３】
【発明が解決しようとする課題】
しかしながら、例えば、インスタントスープを飲もうとしたとき、不透明なカップにインスタントスープの素を入れ、お湯を２００ｍｌ入れる場合を考えると、世の中には、いい加減な性格の人ばかりではなく、中にはきわめて几帳面な性格の人もおり、正確を信条とする人は、透明な計量カップを台所から持ってきて、お湯をそそぎ、２００ｍｌ計量して不透明なカップにそそいで、インスタントスープを作っていた。
この作業は面倒であり、台所で透明な計量カップが発見できなかった場合には、几帳面な人はイライラしながら、インスタントスープを飲まなければならなくなり、まずい思いをしなければならないという問題があった。
【０００４】
また、例えば、１００ｍｌの水が欲しいときに、１つしかない計量カップが見当たらない場合、計量カップを探すのに無駄な時間を費やすという問題があった。
また、近年の健康食品である液体を飲む場合、決められた量を確実に飲むことが推奨されている。この場合に、手近に計量カップが見当たらないときには、計量カップを探さなければならず、煩雑であった。
【０００５】
そこで、本発明は、上述した問題点を解決するためになされたものであり、透明な計量カップがなくても、正確かつ容易に所定量の液体を計量できる不透明な食器を提供することを目的とする。
【０００６】
【課題を解決するための手段】
この課題を解決するためになされた陶磁製食器及びその製造方法は、以下の構成を有している。
（１）陶磁製食器は、土を成形して、素焼きして、釉薬を塗布して、本焼きすることにより製造される不透明な陶磁製食器であって、食器内側に一定容量毎に目盛り線が形成されている。
上記構成を有する陶磁製食器によれば、例えば、スープカップでインスタントスープを飲もうとするときに、お湯を２００ｍｌの線までポットから注入し、インスタントスープの素を入れて、かき回せば、レシピ通りの正確なインスタントスープを作ることが容易にできる。スープカップの各々に、所定量の基準線が形成されているので、わざわざ台所に透明な計量カップを取りに行く手間がない。また、例えば、１００ｍｌの水が欲しいときに、計量カップを探さなくても、手近にたくさんある陶磁製カップにより、正確かつ容易に１００ｍｌの水を計量できるため、便利である。
【０００７】
（２）陶磁製食器の製造方法は、土を成形して、素焼きして、釉薬を塗布して、本焼きすることにより製造される不透明な陶磁製食器の製造方法であって、土を成形する工程において、素焼き及び本焼きにより全体が収縮することを見込んで、食器内側に、本焼き後で一定容量毎となる位置に目盛り線を形成する。
陶磁製食器の場合、素焼きと本焼きとにより発生する収縮の度合いは、土や釉薬の種類により変化する。従って、一度試し焼きしたときに、素焼きと本焼きにより発生する収縮率を求める。そして、本焼きの後の製品において、５０ｍｌ，１００ｍｌ，１５０ｍｌ，２００ｍｌの水平線が正確に形成できるように、収縮率を見込んで水平線を形成する。
これにより、本焼き後の製品において、５０ｍｌ，１００ｍｌ，１５０ｍｌ，２００ｍｌの線を正確に形成することができる。
【０００８】
【発明の実施の形態】
以下、本発明の実施の形態を図面を参照にして説明する。
図１に本発明をコップ形状の不透明な陶磁製カップに適用した例を断面図で示す。陶磁製カップ１は、底部が狭く、開口部が広い形状になっている。陶磁製カップ１は、表面釉薬が塗られた後、本焼きされている。製造方法の詳細は、後で説明する。本焼きされて完成された状態で、陶磁製カップ１に水を注いだときに、丁度５０ｍｌの水を注ぐと水面が来る位置に、５０ｍｌ線１１が凸形状に形成されている。また、丁度１００ｍｌの水を注ぐと水面が来る位置に、１００ｍｌ線１２が凸形状に形成されている。また、丁度１５０ｍｌの水を注ぐと水面が来る位置に、１５０ｍｌ線１３が凸形状に形成されている。また、丁度２００ｍｌの水を注ぐと水面が来る位置に、２００ｍｌ線１４が凸形状に形成されている。釉薬により、１００ｍｌ線１２の上部に１匹の子豚の絵柄１５が描かれている。また、２００ｍｌ線１４の上部に２匹の子豚の絵柄１６が描かれている。これにより、子どもが楽しく、液量を認識することができる。
【０００９】
次に、上記構成を有する陶磁製カップ１の作用及び効果を説明する。
例えば、ホットココアを３人分作ろうとするときを考える。市販のインスタントココアが、粉一袋当たり２００ｍｌのお湯を注ぐのが、正確なレシピとして記載されている場合、適当な量のお湯をやかんで沸かして、３つの陶磁製カップ１の各々に、２００ｍｌ線１４までお湯を注ぎ、その後、袋からココアの素を入れて、スプーンでかき回せば、レシピ通りのホットココアを３人分、容易に作ることができる。几帳面でレシピ通りに飲み物を作らないと気分の悪い人にとって、きわめて使い勝手の良い陶磁製カップ１を提供できる。
【００１０】
また、複数の子ども達に、ホットドリングを分け与えるときに、耐熱性の透明なカップが無い場合には、各自に、例えば、１５０ｍｌ線１３までホットドリンクを注いでやれば、多い少ないで争うことがなくなり、便利である。
また、ダイエット等により飲み物の量を制限しているときにも、透明な計量カップを使うことなく、飲み慣れている陶磁製カップ１により、正確かつ容易に飲み物の量を認識し得るため、便利である。
【００１１】
図２には、不透明な陶磁製スープカップ２に本発明を適用した例を断面図で示す。本焼きされて完成された状態で、陶磁製スープカップ２に水を注いだときに、丁度５０ｍｌの水を注ぐと水面が来る位置に、５０ｍｌ線２１が凸形状に形成されている。また、丁度１００ｍｌの水を注ぐと水面が来る位置に、１００ｍｌ線２２が凸形状に形成されている。また、丁度１５０ｍｌの水を注ぐと水面が来る位置に、１５０ｍｌ線２３が凸形状に形成されている。また、丁度２００ｍｌの水を注ぐと水面が来る位置に、２００ｍｌ線２４が凸形状に形成されている。釉薬により、１００ｍｌ線２２の上部に「１００」の数字２５が描かれている。また、２００ｍｌ線２４の上部に「２００」の数字２６が描かれている。これにより、液量を認識することができる。
【００１２】
次に、本発明の陶磁製食器の製造方法について説明する。
一般的に、陶磁製食器は、成形工程、素焼き工程、釉薬塗布工程、本焼き工程の４つの工程により製造される。ここで、素焼き工程を省略する場合もある。
成形工程について図３により説明する。成形されるカップの中心線を中心に回転する外型６と、同じく回転する内型５より型が構成されている。外型６と内型５との間には、空間４が形成されている。外型６の内部に粘土を入れ、回転させながら内型５を挿入することにより、粘土が空間４を埋めることにより粘土製のカップが成形される。ここで、成形されたカップの高さをＨ１とする。
【００１３】
粘土製のカップに、素焼き工程、釉薬塗布工程、本焼き工程を施すことにより、図４の陶磁製カップ１が完成するが、素焼き工程及び本焼き工程により、粘土が収縮するため、陶磁製カップ１の高さは、Ｈ２となっている。Ｈ２／Ｈ１が収縮率である。収縮率は、粘土の種類により変化するし、また、釉薬の種類によっても変化する。従って、予め図３、図４に示すように計量線のないカップを一度製造して、Ｈ１，Ｈ２を求めて、収縮率を求めておく必要がある。
【００１４】
その後、図４の陶磁製カップ１に、５０ｍｌ，１００ｍｌ，１５０ｍｌ，２００ｍｌの水を注いで、各々の高さを測定し、測定した高さを求めた収縮率でわり算することにより、図５に示す内型５の計量線用の溝の位置、５０ｍｌ線溝５１、１００ｍｌ線溝５２、１５０ｍｌ線溝５３，２００ｍｌ線溝５４を決定することができる。計量線を付けるために内型５に凸でなく溝を形成しているのは、内型を抜くときに抜きやすいためであり、また、内型５に溝を加工する方が凸部を形成するよりコストが安くできるからである。陶磁製食器の形状等によっては、内型５の溝を凸形状として、陶磁製食器の計量線を溝形状としてもよい。
【００１５】
図５の内型５と外型６とにより、成形した粘土製のカップを図７に示す。これを摂氏約１０００度で約５時間素焼きする。次に、釉薬を塗布する。図１のものでは、１００ｍｌ線１２の上に１匹の子豚の絵１５を描き、２００ｍｌ線１４の上に２匹の子豚の絵１６を描いている。釉薬としては、石灰、鉄系金属、銅、コバルト等が利用されている。
次に、摂氏約１２００度で約１２時間本焼きする。これにより、図１の陶磁製カップ１が完成する。
【００１６】
本実施の形態の陶磁製食器の製造方法によれば、土を成形して、素焼きして、釉薬を塗布して、本焼きすることにより製造される不透明な陶磁製食器の製造方法であって、土を成形する工程において、素焼き及び本焼きにより全体が収縮することを見込んで、食器内側に、本焼き後で一定容量毎となる位置に目盛り線を形成しているので、粘土や釉薬の種類が変わっても、常に正確な位置に計量線を容易に形成することができる。
【００１７】
以上本発明を具体化した実施の形態について詳細に説明したが、本発明は、上記実施の形態に限定されず、色々な変形が可能である。
例えば、食器の例としてカップ、スープカップについて説明したが、どんぶりでインスタントラーメンを作るときにも、湯量をレシピ通りに計量できるため、便利である。
【００１８】
【発明の効果】
本発明の陶磁製食器によれば、土を成形して、素焼きして、釉薬を塗布して、本焼きすることにより製造される不透明な陶磁製食器であって、食器内側に一定容量毎に目盛り線が形成されているので、例えば、スープカップでインスタントスープを飲もうとするときに、お湯を２００ｍｌの線までポットから注入し、インスタントスープの素を入れて、かき回せば、レシピ通りの正確なインスタントスープを作ることが容易にできる。スープカップの各々に、所定量の基準線が形成されているので、わざわざ台所に透明な計量カップを取りに行く手間がない。また、例えば、１００ｍｌの水が欲しいときに、計量カップを探さなくても、手近にたくさんある陶磁製カップにより、正確かつ容易に１００ｍｌの水を計量できるため、便利である。
【００１９】
本発明の陶磁製食器の製造方法によれば、土を成形して、素焼きして、釉薬を塗布して、本焼きすることにより製造される不透明な陶磁製食器の製造方法であって、土を成形する工程において、素焼き及び本焼きにより全体が収縮することを見込んで、食器内側に、本焼き後で一定容量毎となる位置に目盛り線を形成しているので、粘土や釉薬の種類が変わっても、常に正確な位置に計量線を容易に形成することができる。
【図面の簡単な説明】
【図１】本発明の１実施の形態である陶磁製カップ１の断面図である。
【図２】別の実施の形態である陶磁製スープカップ２の断面図である。
【図３】成形工程を示す図である。
【図４】計量線の入っていない本焼き後の陶磁製カップを示す図である。
【図５】計量線用溝が形成された内型５の断面図である。
【図６】図５に示した内型５を用いた成形工程を示す断面図である。
【図７】釉薬塗布前の陶磁カップ１の断面図である。
【符号の説明】
１    陶磁製カップ
２    陶磁製スープカップ
５    内型
６    外型
１１  ５０ｍｌ線
１２  １００ｍｌ線
１３  １５０ｍｌ線
１４  ２００ｍｌ線
１５  １００ｍｌ線用１匹の子豚の絵
１６  ２００ｍｌ線用２匹の子豚の絵
【図１】
2004254980.tif 000003
【図２】
2004254980.tif 000004
【図３】
2004254980.tif 000005
【図４】
2004254980.tif 000006
【図５】
2004254980.tif 000007
【図６】
2004254980.tif 000008
【図７】
2004254980.tif 000009